(57)【要約】【課題】「使い捨て」ではなく繰り返し使用することができ、また人工的ではなく自然な雰囲気が得られる外観を備え、しかも軽量化により、例えばワイングラスのような比較的割れやすい器にも取り付けて使用することができるようにした花用支持具とそれを使用した花器及び花装飾セットを提供する。【解決手段】花用支持具Ａ１は、発泡ポリスチレン製の基体部１と、基体部１に設けてあり、造花または生花の茎部を繰り返し差して支持することができる孔３１を備えたプラスチック製の花支持部３とを備えている。基体部１は、土または／及び砂を接着剤または粘着剤で固めて形成したカバー部２で覆われている。造花の茎部Ｂ２は、カバー部２を通して基体部１に突き刺すことができる。カバー部２は、突き刺した茎部Ｂ２を支えることができる強度を備えている。【選択図】　図２
0003098912.tif 000002
【実用新案登録請求の範囲】
【請求項１】
発泡体で形成された基体部（１）（１ａ）と、
該基体部（１）（１ａ）に設けてあり、造花または生花の茎部を繰り返し差して支持することができる孔（３１）を備えた花支持部（３）と、
を備えており、
上記基体部（１）（１ａ）は、自然素材で形成されたカバー部（２）（２ａ）で覆われていることを特徴とする、
花用支持具。
【請求項２】
発泡ポリスチレン製の基体部（１）（１ａ）と、
該基体部（１）（１ａ）に設けてあり、造花または生花の茎部を繰り返し差して支持することができる孔（３１）を備えた竹等の天然物、プラスチックまたは金属製の花支持部（３）と、
を備えており、
上記基体部（１）（１ａ）は、土または／及び砂を接着剤または粘着剤で固めて形成したカバー部（２）（２ａ）で覆われていることを特徴とする、
花用支持具。
【請求項３】
カバー部（２）（２ａ）は、該カバー部（２）（２ａ）を通して造花の茎部（Ｂ２）を基体部（１）（１ａ）に突き刺すことができるように構成されており、且つ突き刺した茎部（Ｂ２）を支えることができる強度を備えていることを特徴とする、
請求項１または２記載の花用支持具。
【請求項４】
形状が山形状に形成されていることを特徴とする、
請求項１，２または３記載の花用支持具。
【請求項５】
請求項１，２，３または４記載の花用支持具（Ａ１）と、
該花用支持具（Ａ１）を受ける器（Ｄ１）と、
を備えていることを特徴とする、
花器。
【請求項６】
請求項１，２，３または４記載の花用支持具（Ａ２）と、
該花用支持具（Ａ２）を受ける器（Ｄ２）と、
該器（Ｄ２）を収容する収容器（Ｄ３）と、
を備え、
上記器（Ｄ２）と収容器（Ｄ３）の間には、装飾体（５）を収容する収容部（４）が設けてあることを特徴とする、
花装飾セット。
【考案の詳細な説明】
【０００１】
【考案の属する技術分野】
本考案は花用支持具とそれを使用した花器及び花装飾セットに関する。
更に詳しくは、「使い捨て」ではなく繰り返し使用することができ、また人工的ではなく自然な雰囲気が得られる外観を備え、しかも軽量化によって例えばワイングラスのような比較的割れやすい器にも取り付けて使用することができるようにしたものに関する。
【０００２】
【従来技術】
近年、造花の製作技術が向上したことにより、質感・色彩ともに、生花と見間違えるほど精巧に作られた造花が提供されている。これにより、従来は生花を飾ることが主流だったレストランの店内やホテルのロビー、廊下などにも、造花を飾ることが多くなった。
【０００３】
造花を花器に差して飾る場合、その支持具として例えば発泡ポリスチレンが利用されている。即ち、発泡ポリスチレンを所要の大きさのブロック体に切り、それをバケットの中や花瓶の口部等に配置し、それに造花の茎部を突き刺して使用している。このように、支持具として発泡ポリスチレンを使用すれば、簡単に造花を刺して支持することができる。
【０００４】
【考案が解決しようとする課題】
ところで、レストランの店内やホテルのロビー・廊下などに造花を飾る場合、店内や室内の雰囲気を変えるため、造花を季節ごとに取り換えることが良く行われている。しかしながら、従来の発泡ポリスチレン製の支持具では、その素材の性質上、支持具を繰り返して使用することができなかった。
【０００５】
即ち、造花を一度刺したところは、発泡ポリスチレンが窪んで孔が残るため、同じ位置に造花を刺すと造花の固定力が弱まり、造花を確実に支えることができない。また、一度刺した孔を避けるようにして造花を刺したとしても、その素材の性質上、孔同士が繋がりやすく、結果的に発泡ポリスチレン自体に亀裂が生じやすい。したがって、通常、一度使用した発泡ポリスチレンは、再利用されずに廃棄処分される。
【０００６】
また、例えば発泡ポリスチレンを接着剤でガラス製の花器等に固定している場合、使用後の発泡ポリスチレンを花器から取り外す必要があるため、花の交換作業に手間がかかるという欠点があった。
【０００７】
更に、造花自体は生花と見違えるほど精巧に作られているが、それを支持する発泡ポリスチレンの外観が極めて人工的なものであるため、発泡ポリスチレンが外から見えないようにして、造花を飾る必要があった。
【０００８】
（本考案の目的）
そこで本考案の目的は、「使い捨て」ではなく繰り返し使用することができ、また人工的ではなく自然な雰囲気が得られる外観を備え、しかも軽量化により、例えばワイングラスのような比較的割れやすい器にも取り付けて使用することができるようにした花用支持具を提供することにある。
【０００９】
本考案の他の目的は、より多くの造花を効率的に飾り付けることができるようにした花用支持具を提供することにある。
【００１０】
本考案の他の目的は、花用支持具を使用することにより、多彩な花のアレンジができるようにした花器を提供することにある。
【００１１】
本考案の他の目的は、花用支持具に差した花の季節感を、より効果的に想起させることができるようにした花装飾セットを提供することにある。
【００１２】
【課題を解決するための手段】
第１の考案にあっては、
発泡体で形成された基体部と、
該基体部に設けてあり、造花または生花の茎部を繰り返し差して支持することができる孔を備えた花支持部と、
を備えており、
上記基体部は、自然素材で形成されたカバー部で覆われていることを特徴とする、
花用支持具である。
【００１３】
第２の考案にあっては、
発泡ポリスチレン製の基体部と、
該基体部に設けてあり、造花または生花の茎部を繰り返し差して支持することができる孔を備えた竹等の天然物、プラスチックまたは金属製の花支持部と、
を備えており、
上記基体部は、土または／及び砂を接着剤または粘着剤で固めて形成したカバー部で覆われていることを特徴とする、
花用支持具である。
【００１４】
第３の考案にあっては、
カバー部は、該カバー部を通して造花の茎部を基体部に突き刺すことができるように構成されており、且つ突き刺した茎部を支えることができる強度を備えていることを特徴とする、
第１または第２の考案に係る花用支持具である。
【００１５】
第４の考案にあっては、
形状が山形状に形成されていることを特徴とする、
第１，２または第３の考案に係る花用支持具である。
【００１６】
第５の考案にあっては、
第１，２，３または第４の考案に係る花用支持具と、
該花用支持具を受ける器と、
を備えていることを特徴とする、
花器である。
【００１７】
第６の考案にあっては、
第１，２，３または第４の考案に係る花用支持具と、
該花用支持具を受ける器と、
該器を収容する収容器と、
を備え、
上記器と収容器の間には、装飾体を収容する収容部が設けてあることを特徴とする、
花装飾セットである。
【００１８】
本明細書で「造花の茎部」の用語は、「造花の枝部（枝材）」（径が太い等）も含む広い概念として使用している。
【００１９】
本明細書で「造花」の用語は、「つぼみや花びらを有する花を模した造花」に限定するものではなく、「つぼみや花が咲く前の状態を模した造花」や、「つぼみや花びらを有しない観葉植物等を模した造花」等も含む広い概念として使用している。
【００２０】
発泡体の素材としては、例えば発泡合成樹脂または発泡ゴム（ゴム材料としては天然ゴム・合成ゴムを問わない）を挙げることができるが、特にこれらに限定されない。
発泡合成樹脂としては、発泡ポリスチレン、発泡ポリウレタン等を挙げることができるが、特にこれらに限定されない。
【００２１】
発泡ポリスチレンの具体例としては、ダウ化工株式会社製の「スタイロフォーム」（商標名）を挙げることができる。スタイロフォーム（商標名）は、適度な硬さをもっているため加工がしやすく、また造花を多く刺しても亀裂が発生しくにい。更に吸水率が極僅かであるため、汚れた花用支持具を水で洗っても水は殆ど吸収されない。よって、乾燥も速く、カビ等も発生しにくい。
【００２２】
発泡体で形成された基体部の製造方法としては、▲１▼　初めから発泡体を基体部の形状に合致するように成形する方法（基体部の形状に合致した型枠を用い、その型枠の空間部に発泡液や発泡ビーズを充填し、その後発泡・固化させることによって所望の形状を有する基体部を成形する方法）、▲２▼　所要の形状に成形された発泡体（例えばブロック状）をカッター等で切断することにより、所望の形状（例えば山形）の基体部を得る方法などを挙げることができる。
【００２３】
発泡体は、高発泡でも低発泡のものでも良く、連続発泡でも独立発泡のものでも良い。
【００２４】
基体部を覆うカバー部は、自然素材（天然素材）で形成されている。具体的には、例えば土または／及び砂、植物の葉（緑葉や紅葉）、枯れ枝、枯れ草等、あるいはそれらを組み合わせたものを、接着剤または粘着剤で固めて形成したものを挙げることができるが、特にこれらに限定するものではない。
なお、着色剤等でその自然素材に、更に自然な色を着色することもできる。
【００２５】
花支持部は、例えば竹（竹筒）等の天然物、プラスチックまたは金属製等で形成することができる。
竹以外の天然物としては、木製の筒体等を挙げることができる、特にこれに限定されない。
プラスチック製のものとして、飲物を吸い飲むためのストローを利用することもできる。
【００２６】
本明細書にいう「土または／及び砂」の用語は、土または砂のいずれか一方を含む場合もあるし、土と砂が混ざったもの（土及び砂）も含む広い概念として使用している。
【００２７】
装飾体としては、特に限定するものではないが、造花や生花の季節感に合わせた飾りもの（季節感を想起させるもの）を挙げることができる。
「季節感を想起させるもの」としては、例えば以下のようなものを挙げることができるが、特にこれに限定されない。
【００２８】
春を想起させるものとしては、布地や切れ地で桜の花びらを模したもの等を挙げることができる。
夏を想起させるようなものとしては、ビー玉、ビーズ等のような透明感を有するもの等を挙げることができる。
秋を想起させるようなものとしては、布地や切れ地で紅葉を模したもの等を挙げることができる。
冬を想起させるようなものとしては、発泡合成樹脂等で雪を模したもの等を挙げることができる。
【００２９】
（作　用）
本考案は、次のように作用する。
花用支持具を器等に固定する。花用支持具は、造花または生花の茎部を繰り返し差して支持することができる孔を備えた、例えば竹等の天然物、プラスチックまたは金属製の花支持部を備えている。この花用支持具の孔に、造花または生花の茎部を差して、花を飾り付ける。
【００３０】
また、花支持部が設けてある基体部は、自然素材で形成されたカバー部で覆われているので、従来の発泡ポリスチレン製のものと相違して、その外観が人工的ではなく、自然な雰囲気で違和感を感じにくい。
【００３１】
更に、花用支持部が設けられた基体部を発泡体で形成することにより、花用支持具の軽量化が図られている。
【００３２】
土または／及び砂を接着剤または粘着剤で固めて形成したカバー部で基体部が覆われているものでは、花用支持具の外観をあたかも栽培用の土のように見せることができる。
【００３３】
カバー部が、該カバー部を通して造花の茎部を基体部に突き刺すことができるように構成されており、且つ突き刺した茎部を支えることができる強度を備えているものでは、造花を花支持部だけでなく、カバー部の表面から刺して花用支持具に支持させることができる。
【００３４】
形状が山形状に形成されている花用支持具では、花用支持具を例えばブロック状に形成した場合と比べ、花用支持具をより自然な感じに形成することができる。また、花支持部をほぼ頂部中央に設けた場合、その中心に花を差し入れ、次いでその周りのカバー部に小さな花や葉枝等を刺し入れさえすれば、必然的に造花は放射状に美しくまとまる。よって、上手に手早く花の飾り付けができる。
【００３５】
本考案に係る花器によれば、上記した花用支持具と、該花用支持具を受ける器を備えているので、組み合わせる花用支持具の数や位置により、多彩な花のアレンジが可能である。
【００３６】
本考案に係る花装飾セットによれば、上記した花用支持具を取り付けた器と、該器が収容された収容器の間の収容部に、装飾体を収容することができる。よって、例えば装飾体として季節感を想起させるものを収容すれば、花用支持具に差した花の季節感をより効果的に想起させることができる。
【００３７】
【考案の実施の形態】
本考案を図面に示した実施の形態に基づき更に詳細に説明する。
［実施の形態１］
図１は本考案に係る花用支持具の第１の実施の形態を示す底部側から見た斜視説明図、
図２は花用支持具に造花を差した状態の縦断面説明図を示している。
【００３８】
図１に示す花用支持具Ａ１は、その全体形状が山形状となっている。花用支持具Ａ１の具体的な大きさは、底面の直径が約３５ｍｍ、高さが約３５ｍｍである。なお、花用支持具Ａ１の形状や大きさは、特にこれに限定するものではない。
【００３９】
花用支持具Ａ１は、その内部に発泡ポリスチレン製の基体部１を備えている。本実施の形態では基体部１を四角錐状に形成し、具体的な材料としてダウ化工株式会社製の「スタイロフォーム」（商標名）を使用している。基体部１の形状は、上記した四角錐状に限定するものではないが、花用支持具Ａ１全体の形状を山形状に形成しやすいよう、円錐形や三角錐等の錐体が好ましい。
【００４０】
基体部１の傾斜した側面１１部分（図２で上側、底面１２を除いた部分）は、カバー部２で覆われている。カバー部２は、接着剤で土または／及び砂を固めることにより形成されている。カバー部２は、通常、ワイヤ（針金）が入っている造花の茎部Ｂ２（茎材）を当てて強く押し込めば、貫通させることができる程度の強度で形成されている（図２参照）。
【００４１】
カバー部２で基体部１の表面を覆うことにより、基体部１の太陽紫外線による材料劣化も防止することができる。
【００４２】
本実施の形態では、土または／及び砂を固める接着剤として、ボンド木工用（商品名、コニシ株式会社製）を使用している。土または／及び砂と接着剤の割合は、好ましくは土または／及び砂１ｋｇに対して接着剤２００ｇであるが、特にこれに限定されない。
【００４３】
基体部１のほぼ中心には、孔３１を備えた筒状でプラスチック製の花支持部３が設けてある。図２に示すように、この孔３１に造花の茎部Ｂ１を差して、造花を支持することができる。本実施の形態では、花支持部３の孔の直径は約１０ｍｍであるが、その大きさは花支持部３に差す花の茎部の大きさに応じて適宜設計することができる。
【００４４】
本実施の形態では、筒状の花支持部３は、基体部１のほぼ中心部に設けられた孔（符号省略）に接着剤または粘着剤で固定されている。なお、図示のとおり、本実施の形態では、花支持部３の先端部を頂部（中心）として全体の形状を山形状に形成している。
【００４５】
（作　用）
図１及び図２を参照して、花用支持具Ａ１の作用を説明する。
花用支持具Ａ１を固定するために、例えば器（陶器やガラス製の皿等、図３及び図４を参考）を用意する。なお、花用支持具Ａ１を固定する器は、皿に限らず、深みがある器など花用支持具Ａ１を固定できるものであれば、その形及び材料等は特に限定されない。
【００４６】
花用支持具Ａ１の底面全体に接着剤を塗布し、器の例えば中央付近に固定する。筒状の花支持部３には、例えばメインとなるような大きな造花の茎部Ｂ１を差す。花支持部３はプラスチック製であり、造花を繰り返し差してもその支持力は変わらないか、殆ど変わらない。よって、従来の発泡ポリスチレン製のものと相違して、花用支持具Ａ１を「使い捨て」ではなく、繰り返し使用することができる。したがって、花用支持具Ａ１を器に固定したまま引き続き使用することができ、造花を季節ごとに手軽に取り換えることができる。
【００４７】
一方、花支持部３の周りのカバー部２には、例えばサブとなる小さな花や葉枝などの造花Ｂ２を突き刺すことができる。カバー部２を貫通した造花の茎部Ｂ２は、発泡ポリスチレン製の基体部１に突き刺さる。またカバー部２は、突き刺した茎部Ｂ２を支えることができる強度を備えているので、茎部Ｂ２を倒れないように支持することができる。
【００４８】
このように、花用支持具Ａ１によれば、造花を花支持部３だけでなく、カバー部２の表面から刺して花用支持具Ａ１に支持させることができるので、より多くの造花を効率的に飾り付けることができる。
【００４９】
また、カバー部３は自然素材である土または／及び砂を固めて形成してあるため、花用支持具Ａ１の外観は、人工的ではなく自然な雰囲気を備えている。しかも、土または／及び砂を用いているので、その外観をあたかも栽培用の土のように見せることができる。これにより、例えば道端に咲いた自然の花のように、造花を装飾することが可能である。
【００５０】
花用支持具Ａ１は、花支持部３を中心として全体的に山形状に形成されている。よって、従来のブロック状の発泡ポリスチレンと比べ、より自然な外観で違和感を感じにくい。
【００５１】
また形状を山形状に形成されているので、まず中央の花支持部３に大きな花を差し入れ、次いでその周りのカバー部２に小さな花や葉枝等を刺し入れさえすれば、必然的に造花は放射状に美しくまとまる。このように、山形状に形成された花用支持具Ａ１を使用すれば、上手に手早く花の飾り付けができる。
【００５２】
上記したように、カバー部２は土または／及び砂を接着剤で固めて形成されている。例えばカバー部２の強度を上げるために、接着剤の量を多くして、表面を硬くした場合には、錐等でカバー部２に、造花を差し入れるための孔（図示省略）を開けることもできる。
また、カバー部２をその孔を貫通させるように開けないで、造花の茎部Ｂ２を少しの力で押し込むだけで、カバー部２を貫通できるような浅めの孔を形成しておくこともできる。
【００５３】
更に図１に示す花用支持具Ａ１の底面部に、固定手段である両面粘着テープ（図示省略）を予め貼り付けておくこともできる。このようにすれば、剥離紙を剥がすだけで、花用支持具Ａ１を器等に固定することができ、上記したように接着剤を塗布する手間がいらない。
【００５４】
更に、両面粘着テープ（図示省略）を使用すれば、机の上や窓際等にも簡単に造花を飾り付けることができる。
【００５５】
なお、花支持部３には生花を差して飾り付けることもできる。その場合には、花支持部３の孔３１に水を入れる。花支持部３の孔３１により多くの水を入れておくことができるように、孔３１の奥部側の容積を大きく形成することもできる。
【００５６】
また、エアプランツと称されている植物（パイナップル科チランジア属の植物）の場合は、植物自体が空気中の水分を吸収して成長することができるため、造花と同様に水の供給は必要としない。
【００５７】
なお、花用支持具Ａ１を皿等の器に固定する接着剤は特に限定するものではないが、例えばボンド木工用（商品名、コニシ株式会社製）等を好適に使用できる。これを使用すれば、ガラス製や陶器製の器となじみにくいので、使用後の花用支持具Ａ１を比較的容易に器等から取り外すことができる。また取り外した後の器に付着した接着剤も綺麗に剥がしやすい。
【００５８】
また、花用支持具Ａ１の各構成物を以下のような形状とすることができる。
まず、図２に示す花支持部３を筒体ではなく、有底円筒状（底面部が塞がれた筒状体）に形成することもできる。有底円筒状の花支持部３を使用すれば、そのを設けるための基体部の孔は貫通させても良い。
【００５９】
更に、基体部１のほぼ中心に孔を貫通して形成し、その孔に筒状の花支持部３を固定する場合、花用支持具Ａ１底面部の孔を塞ぐことが好ましい。この場合は、基体部１や基体部１を含む底面全体をプラスチック板や固い紙等で覆えば良い。
【００６０】
本実施の形態のように、発泡ポリスチレン製の基体部１は、発泡ポリスチレン製の材料を円錐状に切って形成することもできるが、成形段階から基体部を円錐状に形成しておくこともできる。つまり、円錐状の基体部１を成形することができる型枠を使用して、これに樹脂を流し込んで発泡させることもできる。
【００６１】
［実施の形態２］
図３は花用支持具を使用した花器を示す斜視説明図、図４は図３に示す花器の使用状態斜視図である。
【００６２】
なお、第１の実施の形態と同一または同等箇所には同一の符号を付して示している。また、第１の実施の形態で示してある箇所と同等箇所については、説明を省略し、主に相異点を説明する。これについては、後述する第３の実施の形態についても同じである。
【００６３】
上記したように、図３に示す花器Ｃ１は、皿状の器Ｄ１に複数の花用支持具Ａ１を組み合わせて固定したものである。
【００６４】
更に本実施の形態では、各花用支持具Ａ１を器Ｄ１に固定した後、隣り合う花用支持具Ａ１の継目部分を、カバー部２と同じ素材である接着剤で固めた土または／及び砂で覆っている。これにより、花用支持具Ａ１の継目部分が表れないように、外観を自然な感じにしている。
【００６５】
なお、使用する花用支持具Ａ１の数量と位置は、図示したものに限定するものではない。
【００６６】
（作　用）
図３及び図４を参照して、花器Ｃ１の作用を説明する。
図４に示すように、複数の花用支持具Ａ１の花支持部３に造花を差して固定する。また、組み合わせる花用支持具Ａ１の数や位置により、多彩な花のアレンジが可能である。
【００６７】
また、言うまでもないが、図２に示す花用支持具Ａ１のように、花支持部３だけではなく、カバー部２に造花を刺して飾り付けることも可能である。
【００６８】
なお、本実施の形態では、販売形態として予め器Ｄ１に花用支持具Ａ１を固定した一体ものを想定して説明しているが、花用支持具Ａ１を単体で販売することで、器Ｄ１は需要者が有している既存の器や好みの器を使用することができる。
【００６９】
その場合、需要者は自分が欲する数だけ花用支持具Ａ１を購入し、また器については自分の好みのものを使用できる利点がある。そして、アレンジしたい盛花の全体像を色々と想像しながら（飾る花の本数や種類等）、その装飾を楽しむことができる。
【００７０】
その他の構成及び作用・効果は、既に説明した第１の実施の形態と大体において同じであるため、説明を省略する。
【００７１】
［実施の形態３］
図５は本考案に係る花用支持具の他の実施の形態を示す斜視説明図、
図６は図５に示す花用支持具を使用した花装飾セットの使用状態斜視図である。
なお、第１の実施の形態と同一または同等箇所には同一の符号を付して示している。また、第１の実施の形態で示してある箇所と同等箇所については、説明を省略し、主に相異点を説明する。これについては、後述する第３の実施の形態についても同じである。
【００７２】
図６に示す花装飾セットＥは、図５に示す花用支持具Ａ２と、この花用支持具Ａ２を受ける（取り付ける）ための器Ｄ２（本実施の形態では「ワイングラス」を使用）と、器Ｄ２を収容するための収容器Ｄ３とを備えている。
【００７３】
図５に示す花用支持具Ａ２では、図１に示した花用支持具Ａ１とその全体形状が相違している。即ち、花用支持具Ａ２では、図６に示すワイングラスを用いた器Ｄ２の形状に合わせて、平面視で円形状で、底面側も丸く形成されている（図面では底面側は隠れて見えない）。
【００７４】
また、カバー部２ａの中には、ブロック状の形態を有する基体部１ａが収容されている。基体部１ａは第１の実施の形態と同様、発泡ポリスチレン製である。
【００７５】
基体部１ａには、花支持部３ａが所要数（本実施の形態では二箇所）並設してあり、孔３１はカバー部２ａの上面に現れている。なお、基体部１ａの形状は、図示したものに限定するものではなく、円形状や楕円形状、あるいはその他の多角形や異形状（不規則な形状）を採用することもできる。
【００７６】
花用支持具Ａ２は、上記したように、ワイングラスを用いた器Ｄ２に取り付けてある。器Ｄ２は、平面視方形状のガラス製の収容器Ｄ３のほぼ中央に固定されている。その固定方法は両面粘着テープ等の粘着剤であっても良いし、接着剤であっても良い。
【００７７】
器Ｄ２と収容器Ｄ３の間には、装飾体である季節感を想起させるものを収容する収容部４が設けてある。例えば花用支持具Ａ２に夏の造花を差す場合には、夏を想起させるように、例えば透明感のあるビー玉５（二点鎖線で示す）を充填することができる。なお、このビー玉５は、器Ｄ２（ワイングラス）が倒れることを防止するための充填材としての役目も有している。
【００７８】
更に、収容部４には芳香剤や芳香を有するもの（例えばベチバーの根）を充填することもできる。
【００７９】
上記した器Ｄ２及び収容器の材質は特に限定するものではなく、ガラス以外に陶器、木材、金属、合成樹脂あるいはそれらの組み合わせ等や、その他の材料を使用することもできる。
【００８０】
このように、本実施の形態に係る花装飾セットＥによれば、花用支持具Ａ２に差した造花の季節感をより効果的に想起させることができる。
【００８１】
更に、花用支持部３ａ内部の基体部１ａは発泡合成樹脂で形成され、花用支持具３ａの軽量化が図られている。よって、図６に示すワイングラスのような折れやすい脚を備えた器にも、花用支持具３ａを取り付けて花器とすることができる。
【００８２】
なお、本明細書で使用している用語と表現はあくまで説明上のものであって、限定的なものではなく、上記用語、表現と等価の用語、表現を除外するものではない。また、本考案は図示の実施の形態に限定されるものではなく、技術思想の範囲内において種々の変形が可能である。
【００８３】
更に、実用新案登録請求の範囲には、請求項記載の内容の理解を助けるため、図面において使用した符号を括弧を用いて記載しているが、実用新案登録請求の範囲を図面記載のものに限定するものではない。
【００８４】
【考案の効果】
本考案は上記構成を備え、次の効果を有する。
（ａ）本考案に係る花用支持具によれば、例えばプラスチック製などの花支持部の孔に、造花または生花の茎部を繰り返し差して支持させることができる。よって、従来の発泡ポリスチレン製のものと相違して、「使い捨て」ではなく花用支持具を繰り返し使用することができる。したがって、例えば器に固定した花用支持具を引き続き使用することができ、造花を季節ごとに手軽に取り換えることができる。
また、花支持部が設けてある基体部は、自然素材で形成されたカバー部で覆われているので、従来の発泡ポリスチレン製のものと相違して、その外観が人工的ではなく、自然な雰囲気で違和感を感じにくい。
更に、花用支持部が設けられた基体部を発泡体で形成することにより、花用支持具の軽量化が図られている。これにより、例えばワイングラスのような折れやすい脚を備えた器にも、花用支持具を取り付けて使用することができる。
【００８５】
（ｂ）土または／及び砂を接着剤または粘着剤で固めて形成したカバー部で基体部が覆われているものでは、花用支持具の外観をあたかも栽培用の土のように見せることができる。これにより、例えば道端に咲いた自然の花のように、造花または生花を見せることもできる。
【００８６】
（ｃ）カバー部が、該カバー部を通して造花の茎部を基体部に突き刺すことができるように構成されており、且つ突き刺した茎部を支えることができる強度を備えているものでは、造花を花支持部だけでなく、カバー部の表面から刺して花用支持具に支持させることができるので、より多くの造花を効率的に飾り付けることができる。
【００８７】
（ｄ）形状が山形状に形成されている花用支持具では、花用支持具を例えばブロック状に形成した場合と比べ、花用支持具をより自然な感じに形成することができる。また、花支持部をほぼ頂部中央に設けた場合、その中心に花を差し入れ、次いでその周りのカバー部に小さな花や葉枝等を刺し入れさえすれば、必然的に造花は放射状に美しくまとまる。よって、上手に手早く花の飾り付けができる。
【００８８】
（ｅ）本考案に係る花器によれば、上記したような効果を備えた花用支持具と、該花用支持具を受ける器を備えているので、組み合わせる花用支持具の数や位置により、多彩な花のアレンジが可能である。
【００８９】
（ｆ）本考案に係る花装飾セットによれば、上記した効果を有する花用支持具を取り付けた器と、該器が収容された収容器の間の収容部に、装飾体を収容することができる。よって、例えば装飾体として季節感を想起させるものを収容すれば、花用支持具に差した花の季節感をより効果的に想起させることができる。
【００９０】
【図面の簡単な説明】
【図１】本考案に係る花用支持具の第１の実施の形態を示す底部側から見た斜視説明図。
【図２】花用支持具の縦断面説明図であり、花用支持具に造花を差している状態を表している。
【図３】図１に示す花用支持具Ａ１を使用して形成した花器Ｃ１を示す斜視説明図。
【図４】図３に示す花器の使用状態斜視図。
【図５】本考案に係る花用支持具Ａ２の他の実施の形態を示す斜視説明図。
【図６】図５に示す花用支持具Ａ２を使用した花装飾セットの使用状態斜視図。
【符号の説明】
Ａ１，Ａ２　花用支持具
Ｂ１，Ｂ２　茎部
Ｃ１　花器
Ｄ１，Ｄ２　器
Ｄ３　収容器
Ｅ　花装飾セット
１，１ａ　基体部
１１　側面
１２　底面
２，２ａ　カバー部
３，３ａ　花支持部
３１　孔
４　収容部
５　ビー玉
【図１】
0003098912.tif 000003
【図２】
0003098912.tif 000004
【図３】
0003098912.tif 000005
【図４】
0003098912.tif 000006
【図５】
0003098912.tif 000007
【図６】
0003098912.tif 000008